(57)【要約】【課題】  順次に並ぶよう着脱自在に連結することができ、その数が基本的に制限されることのないガス濃度監視ユニットおよびガス濃度監視装置を提供すること。【解決手段】  ガス濃度監視ユニットにおけるユニット連結機構は連結部および被連結部により構成され、当該被連結部は、当該連結部と同一の構成の連結部が連結される構成を有し、当該ガス濃度監視ユニットに対してその前面が並ぶよう隣接して配置された、当該ガス濃度監視ユニットと同一の構成を有する隣接ガス濃度監視ユニットの連結部が、当該ガス濃度監視ユニットの被連結部に連結されることにより、ガス濃度監視ユニット連結体が構成されることを特徴とする。【選択図】  図１
2005208960.tif 000002
【特許請求の範囲】
【請求項１】
検知対象ガスの濃度を検出するガス検知機構よりのガス濃度信号を受けて当該ガス濃度を監視するガス濃度監視機構と、このガス濃度監視機構を収納し、前面にガス濃度表示部が設けられた扁平な箱状のユニットケースと、このユニットケースに設けられたユニット連結機構とよりなり、
前記ユニット連結機構は連結部および被連結部により構成され、当該被連結部は、当該連結部と同一の構成の連結部が連結される構成を有し、
当該ガス濃度監視ユニットに対してその前面が並ぶよう隣接して配置された、当該ガス濃度監視ユニットと同一の構成を有する隣接ガス濃度監視ユニットの連結部が、当該ガス濃度監視ユニットの被連結部に連結されることにより、ガス濃度監視ユニット連結体が構成されることを特徴とするガス濃度監視ユニット。
【請求項２】
ユニット連結機構を構成する連結部は、ユニットケースの一側面が位置する平面より外方に突出する突出部により構成され、被連結部は、当該ユニットケースの他側面が位置する平面より内方に突入するよう形成された、当該突出部と同一の構成の突出部が受容される受容部により構成されていることを特徴とする請求項１に記載のガス濃度監視ユニット。
【請求項３】
ユニット連結機構の連結部を構成する突出部は、ユニットケースの上面および下面においてその一側縁から突出する一対の突出舌片よりなり、被連結部を構成する受容部は、ユニットケースの上面および下面においてその他側縁から内方に突入するよう形成された一対の凹所よりなることを特徴とする請求項１または請求項２に記載のガス濃度監視ユニット。
【請求項４】
請求項１〜請求項３のいずれかに記載のガス濃度監視ユニットの複数が順次に隣接して配置され、互いに隣接するガス濃度監視ユニット同士が各々のユニット連結機構を利用して連結されることにより構成されたガス濃度監視ユニット連結体を備えることを特徴とするガス濃度監視装置。
【請求項５】
ガス濃度監視ユニット連結体が、当該ガス濃度監視ユニット連結体を構成するガス濃度監視ユニットの各々に対して共通の機能を有する共通機能ユニットと隣接して配置され、当該ガス濃度監視ユニット連結体において共通機能ユニットに隣接する端部ガス濃度監視ユニットの連結部が、共通機能ユニットに設けられた被連結部に連結されていることを特徴とする請求項４に記載のガス濃度監視装置。
【請求項６】
共通機能ユニットが、電源ユニットであることを特徴とする請求項５に記載のガス濃度監視装置。
【請求項７】
共通機能ユニットが、電源ユニットと警報発生ユニットとの連結体であることを特徴とする請求項５に記載のガス濃度監視装置。
【発明の詳細な説明】
【技術分野】
【０００１】
本発明は、ガス検知機構により検出された検知対象ガスの濃度を監視するガス濃度監視ユニットおよびこのガス濃度監視ユニットの複数が順次に隣接して連結されることにより構成されたガス濃度監視ユニット連結体を備えてなるガス濃度監視装置に関する。
【背景技術】
【０００２】
従来、特定の個所において継続的に、例えば二酸化炭素ガス、一酸化炭素ガス、メタンガス、ブタンガス、プロパンガス、麻酔性ガス、二酸化硫黄ガス、フロンガスなどの検知対象ガスの濃度を監視するために、ガス検知機構と共に、このガス検知機構により検出された検知対象ガスの濃度を表示する機能、あるいは更に当該検知対象ガスの濃度が予め定められた一定のレベルに達したときに警報ブザーを発する機能を有するガス濃度監視装置が用いられている（例えば、特許文献１参照。）。
【０００３】
【特許文献１】特開２００１−２７１１９６号公報
【０００４】
このようなガス濃度監視装置としては、例えば図６に示す構成を有するものが用いられている。このガス濃度監視装置６０は、それぞれガス検知個所に設置された複数のガス検知機構よりのガス濃度信号を受けて各検知対象ガスの濃度を監視するガス濃度監視ユニット６１の複数と、いずれかのガス濃度監視ユニット６１により監視されている検知対象ガスの濃度が一定のレベルに達したときに警報ブザーを発する警報発生ユニット６２とが本体ケース６３に装着保持されて構成されている。
【０００５】
このようなガス濃度監視装置６０においては、ガス検知機構の台数と同じ台数のガス濃度監視ユニット６１が同一の個所にまとまって配置されることが、監視上または管理上要請されており、この理由から複数のガス濃度監視ユニット６１が共通の本体ケース６３に設置されている。この本体ケース６３内には、外部よりの電力を警報発生ユニット６２やガス濃度監視ユニット６１に供給する電力供給機構（図示せず）が収容されている。
【０００６】
然るに、このようなガス濃度監視装置においては、検知対象ガスの種類を増加する場合にはガス濃度監視ユニットの台数を増加する必要があるが、本体ケースにおける設置可能なガス濃度監視ユニットの台数があらかじめ規定されたものであるために、ガス濃度監視ユニットの台数を増加させる場合には本体ケースを交換する必要があり、当該ガス濃度監視装置の取付現場における作業が煩雑になるという問題があった。
【発明の開示】
【発明が解決しようとする課題】
【０００７】
本発明は、以上のような事情に基づいてなされたものであって、その目的は、順次に並ぶよう着脱自在に連結することができ、その数が基本的に制限されることのないガス濃度監視ユニットおよびガス濃度監視装置を提供することにある。
【課題を解決するための手段】
【０００８】
本発明のガス濃度監視ユニットは、検知対象ガスの濃度を検出するガス検知機構よりのガス濃度信号を受けて当該ガス濃度を監視するガス濃度監視機構と、このガス濃度監視機構を収納し、前面にガス濃度表示部が設けられた扁平な箱状のユニットケースと、このユニットケースに設けられたユニット連結機構とよりなり、
前記ユニット連結機構は連結部および被連結部により構成され、当該被連結部は、当該連結部と同一の構成の連結部が連結される構成を有し、
当該ガス濃度監視ユニットに対してその前面が並ぶよう隣接して配置された、当該ガス濃度監視ユニットと同一の構成を有する隣接ガス濃度監視ユニットの連結部が、当該ガス濃度監視ユニットの被連結部に連結されることにより、ガス濃度監視ユニット連結体が構成されることを特徴とする。
【０００９】
上記のガス濃度監視ユニットにおいては、ユニット連結機構を構成する連結部は、ユニットケースの一側面が位置する平面より外方に突出する突出部により構成され、被連結部は、当該ユニットケースの他側面が位置する平面より内方に突入するよう形成された、当該突出部と同一の構成の突出部が受容される受容部により構成されていることが好ましい。
また、ユニット連結機構の連結部を構成する突出部は、ユニットケースの上面および下面においてその一側縁から突出する一対の突出舌片よりなり、被連結部を構成する受容部は、ユニットケースの上面および下面においてその他側縁から内方に突入するよう形成された一対の凹所よりなることが好ましい。
【００１０】
本発明のガス濃度監視装置は、ガス濃度監視ユニットの複数が順次に隣接して配置され、互いに隣接するガス濃度監視ユニット同士が各々のユニット連結機構を利用して連結されることにより構成されたガス濃度監視ユニット連結体を備えることを特徴とする。
【００１１】
上記のガス濃度監視装置においては、ガス濃度監視ユニット連結体が、当該ガス濃度監視ユニット連結体を構成するガス濃度監視ユニットの各々に対して共通の機能を有する共通機能ユニットと隣接して配置され、当該ガス濃度監視ユニット連結体において共通機能ユニットに隣接する端部ガス濃度監視ユニットの連結部が、共通機能ユニットに設けられた被連結部に連結されていることが好ましい。
また、上記のガス濃度監視装置においては、共通機能ユニットが、電源ユニット、あるいは、電源ユニットと警報発生ユニットとの連結体であることが好ましい。
【発明の効果】
【００１２】
本発明のガス濃度監視ユニットによれば、特定のユニット連結機構により、複数のものが順次に並ぶよう着脱自在に連結されることにより、基本的にその数に制限なく、自由な数のものを連結することができる。
本発明のガス濃度監視装置によれば、上記のガス濃度監視ユニットが複数連結されてなる連結体を具えてなることにより、このガス濃度監視装置に設置されるガス濃度監視ユニットの台数を増減することが容易である。
【発明を実施するための最良の形態】
【００１３】
以下、本発明について図面を参照して詳細に説明する。
図１は、本発明のガス濃度監視ユニットの構成の一例を示す説明用斜視図であり、図２は、このガス濃度監視ユニットの連結体の構成を示す説明用斜視図であり、図３は、このガス濃度監視ユニットの説明用上面図である。
【００１４】
このガス濃度監視ユニット１０は、例えば工場、その他の建物の壁などのガス検知個所に設置された、検知対象ガスの濃度を検出する例えば定置型のガス検知機構（図示せず）よりのガス濃度信号を受けて当該ガス濃度を監視するガス濃度監視機構（図示せず）が、ユニットケース１１内に収納されて構成されている。
【００１５】
ユニットケース１１は、上下方向（縦方向）に扁平な箱状のものであり、このユニットケース１１の前面Ａにはガス濃度表示部１１１が設けられており、このガス濃度表示部１１１には、ガス検知機構により検出された検知対象ガスの濃度を表示するガス濃度表示パネルが設けられている。
【００１６】
ガス濃度監視機構は、ガス検知機構よりのガス濃度信号に基づいてガス濃度表示部１１１を駆動するマザーボード（図示せず）と、このマザーボードとガス検知機構とを接続するための外部接続端子台（図示せず）とから構成されている。
【００１７】
そして、本発明においては、ガス濃度監視ユニット１０のユニットケース１１に、連結部１３および被連結部１４が設けられており、これらによってユニット連結機構が構成されている。
【００１８】
ユニット連結機構における被連結部１４は、連結部１３と同一の構成の連結部が連結される構成を有する。すなわち、図２に示すように、ガス濃度監視ユニット１０に対して、当該ガス濃度監視ユニット１０と全く同一の構成を有する隣接ガス濃度連結ユニット２０が、その前面Ａ２が当該ガス濃度監視ユニット１０の前面Ａ１と並ぶよう隣接して配置されたときに、この隣接ガス濃度連結ユニット２０の連結部２３は、当該ガス濃度監視ユニット１０の被連結部１４に連結されることのできるものであり、両者が連結されることにより、ガス濃度監視ユニット１０と隣接ガス濃度連結ユニット２０との連結体であるガス濃度監視ユニット連結体３０が構成される。
【００１９】
図示の例において、連結部１３は、ユニットケース１１の一側面Ｂが位置する垂直平面より外方（図で左方）に突出する突出部１３１により構成され、被連結部１４は、このユニットケースの他側面Ｃが位置する垂直平面より内方（図で左方）に突入するよう形成された、前記突出部１３１と同一の構成の突出部が受容される受容部１４１により構成されている。
【００２０】
具体的には、突出部１３１は、ユニットケース１１の上面Ｄの一側縁Ｍおよび下面Ｅの一側縁Ｎから突出する一対の突出舌片よりなり、受容部１４１は、ユニットケース１１の上面Ｄの他側縁Ｐおよび下面Ｅの他側縁Ｑから内方に突入するよう形成された一対の凹所よりなるものとされている。
【００２１】
図３に示すように、突出部１３１における突出舌片および受容部１４１における凹所には、互いに対応する位置に連結用の貫通孔１３１ａ、１４１ａがそれぞれ設けられており、ガス濃度監視ユニット１０の受容部１４１における貫通孔１４１ａと、隣接ガス濃度監視ユニット２０における連結部２３の、突出部１３１と同一の構成を有する突出部における貫通孔とが重ね合わせられ、ねじ部材がこれらの重ね合わせられた貫通孔に貫挿されることにより、ガス濃度監視ユニット１０における受容部１４１と、隣接ガス濃度監視ユニット２０における突出部とが連結される構成とされている。
ここで、突出部１３１の突出舌片の大きさは、例えば幅１４ｍｍ、長さ３２ｍｍ、厚さ３ｍｍであり、貫通孔１３１ａ、１４１ａの直径の大きさは、それぞれ例えば４．５ｍｍである。
【００２２】
従って、例えば図４に示すように、各々、上記の構成を有するガス濃度監視ユニット１０の複数（図の例では４個）を順次に隣接して配置し、互いに隣接するガス濃度監視ユニット１０同士を各々のユニット連結機構を利用して連結することにより、ガス濃度監視ユニット連結体４０を構成することができ、このガス濃度監視ユニット連結体４０においては、基本的に数に制限なく、所望の数のガス濃度監視ユニット１０を一体に連結することができる。
【００２３】
図５は、上記のガス濃度監視ユニット連結体４０を具えてなるガス濃度監視装置の説明用正面図である。このガス濃度監視装置５５は、ガス濃度監視ユニット連結体４０を構成するガス濃度監視ユニット１０の各々に対して共通の機能を有する共通機能ユニット５０が、当該ガス濃度監視ユニット連結体４０と隣接して配置された状態で構成されている。
【００２４】
この共通機能ユニット５０は、例えば電源ユニット５１と警報発生ユニット５２との連結体からなり、警報発生ユニット５２に設けられた、ガス濃度監視ユニット１０の連結部と同一の構成を有する連結部が、電源ユニット５１に設けられた、ガス濃度監視ユニット１０の被連結部と同一の構成を有する被連結部に連結されることにより、構成されている。
【００２５】
また、ガス濃度監視ユニット連結体４０において共通機能ユニット５０に隣接する端部ガス濃度監視ユニット４１の連結部は、警報発生ユニット５２に設けられた、ガス濃度監視ユニット１０の被連結部と同一の構成を有する被連結部に連結することのできるものであり、両者が連結されることにより、共通機能ユニット５０とガス濃度監視ユニット連結体４０とよりなるガス濃度監視装置５５が構成されている。
図５において、２５および２６は、ガス濃度監視装置５５それ自体を例えば建物の壁に取り付けるために当該ガス濃度監視装置５５の上部および下部がそれぞれ固定される取付アングルである。
【００２６】
電源ユニット５１には、外部よりの電力を、警報発生ユニット５２やガス濃度監視ユニット連結体４０における各ガス濃度監視ユニットに供給する電力供給機構が設けられている。
【００２７】
警報発生ユニット５２には、ガス濃度監視ユニット連結体４０を構成するいずれかのガス濃度監視ユニット１０により監視されている検知対象ガスの濃度が一定のレベル以上となったときに、当該ガス濃度監視ユニット１０から警報発生用指示信号が送られることによって例えば警報ブザーを発する警報発生機構が設けられている。
【００２８】
ガス濃度監視ユニット１０の大きさは、例えば幅３６ｍｍ、高さ２１０ｍｍ、奥行き１５６ｍｍであり、この場合に、電源ユニット５１の大きさは、例えば幅１５２ｍｍ、高さ２１０ｍｍ、奥行き１４４ｍｍであり、警報発生ユニット５２の大きさは、例えば幅３６ｍｍ、高さ２１０ｍｍ、奥行き１５６ｍｍである。
【００２９】
本発明のガス濃度監視ユニットによれば、順次に並ぶよう着脱自在に連結されることにより、基本的にその数に制限なく、自由な数のものを連結することができる。
【００３０】
また、本発明のガス濃度監視装置によれば、上記のガス濃度監視ユニットが複数連結されてなる連結体を具えていることにより、このガス濃度監視装置に設置されるガス濃度監視ユニットの台数を増減することが容易である。
【００３１】
上記のガス濃度監視装置においては、電気的に接続されるガス検知機構の台数毎の本体ケースを用意する必要がないために在庫管理の対象となる部品の種類が少なくなり部品の在庫管理を容易に行うことができ、また、ガス濃度監視ユニットの大量生産を行うことにより生産コストを低下させることができる。
【００３２】
本発明のガス濃度監視装置においては、上記の例に限定されるものではなく、様々な変更を加えることができる。例えば、共通機能ユニットは、電源ユニットのみからなるものであってもよい。
【図面の簡単な説明】
【００３３】
【図１】本発明のガス濃度監視ユニットの構成を示す説明用斜視図である。
【図２】図１のガス濃度監視ユニットの連結体の構成を示す説明用斜視図である。
【図３】図１のガス濃度監視ユニットの説明用上面図である。
【図４】図１のガス濃度監視ユニットの他の連結体の構成を示す説明用斜視図である。
【図５】図４のガス濃度監視ユニット連結体を具えてなるガス濃度監視装置の説明用正面図である。
【図６】従来のガス濃度監視装置の説明用正面図である。
【符号の説明】
【００３４】
１０        ガス濃度監視ユニット
１１        ユニットケース
１１１      ガス濃度表示部
１３        連結部
１３１      突出部
１３１ａ    貫通孔
１４        被連結部
１４１      受容部
１４１ａ    貫通孔
２０        隣接ガス濃度監視ユニット
２３        連結部
２５、２６  取付アングル
３０        ガス濃度監視ユニット連結体
４０        ガス濃度監視ユニット連結体
４１        端部ガス濃度監視ユニット
５０        共通機能ユニット
５１        電源ユニット
５２        警報発生ユニット
５５        ガス濃度監視装置
６０        ガス濃度監視装置
６１        ガス濃度監視ユニット
６２        警報発生ユニット
６３        本体ケース
Ａ          前面
Ｂ          一側面
Ｃ          他側面
Ｄ          上面
Ｅ          下面
Ｍ、Ｎ      一側縁
Ｐ、Ｑ      他側縁
【図１】
2005208960.tif 000003
【図２】
2005208960.tif 000004
【図３】
2005208960.tif 000005
【図４】
2005208960.tif 000006
【図５】
2005208960.tif 000007
【図６】
2005208960.tif 000008